(57)【要約】【課題】係止ピンを使用するときに自動的に突出させることにより、出入りの際に邪魔にならないようにするとともに、玄関の見栄えを向上させることができるドアガード装置を提供すること。【解決手段】係止ピン５をドアフレームＦの戸当たりＦ１から内側に出没可能に設けるとともに、戸当たり面Ｆ２から突出する作動ボタン８を設け、作動ボタン８が閉止したドアＤに押し込まれることにより係止ピン５を係止アーム２が掛け止められる突出状態にし、かつドアＤを開放することにより作動ボタン８が復帰して係止ピン５を突出状態から退入状態にする出没機構を設ける。【選択図】図１
2009299351.tif 000002
【特許請求の範囲】
【請求項１】
ドアに係止アームを揺動可能に取り付けるとともに、該係止アームのスライド溝を、ドアフレームに設けた係止ピンにスライド可能に掛け止めるドアガード装置において、前記係止ピンをドアフレームの戸当たりから内側に出没可能に設けるとともに、戸当たり面から突出する作動ボタンを設け、該作動ボタンが閉止したドアに押し込まれることにより係止ピンを係止アームが掛け止められる突出状態にし、かつドアを開放することにより作動ボタンが復帰して係止ピンを突出状態から退入状態にする出没機構を設けたことを特徴とするドアガード装置。
【請求項２】
出没機構が、揺動により出没するよう枢支された係止ピンと、該係止ピンに係合し、上下に移動することにより係止ピンを出没させるスライド部材と、該スライド部材と係合し、作動ボタンと共に移動することによりスライド部材を上下動させるボタンスライダとを備えたことを特徴とする請求項１記載のドアガード装置。
【請求項３】
作動ボタンの先端に、閉止したドアに当接するばね部材を設けたことを特徴とする請求項１又は２記載のドアガード装置。
【請求項４】
係止アームの台座に上下にあり溝を形成するとともに、該あり溝に摺動可能に挿入される台座レールを設け、該台座レールを介して台座を所定範囲で上下動可能にドアに取り付けたことを特徴とする請求項１、２又は３記載のドアガード装置。
【請求項５】
台座と台座レールを磁力で吸着するようにしたことを特徴とする請求項４記載のドアガード装置。
【請求項６】
ドアの開放時にドアフレームの戸当たり面に作動ボタンのみが露出するようにしたことを特徴とする請求項１、２、３、４又は５記載のドアガード装置。
【発明の詳細な説明】
【技術分野】
【０００１】
本発明は、玄関等のドアを半開きの状態でロックすることができるドアガード装置に関し、特に、係止ピンを使用するときに突出させることにより、出入りの際に邪魔にならないようにするとともに、玄関の見栄えを向上させることができるドアガード装置に関するものである。
【背景技術】
【０００２】
従来、玄関ドア等の防犯用として、ドア本体に取り付けたシリンダー錠とは別に、防犯の用心鎖としてドアガード装置が設置されている。
このドアガード装置は、例えば、図１４に示すように、ドアＤの先端部の内側に揺動可能に取り付けられた係止アーム２と、ドアフレームＦ側に固定され、係止アーム２のスライド溝３に頭部を掛止して、スライド可能に掛け止められる係止ピン５とを備えている。
そして、係止ピン５を係止アーム２のスライド溝３に挿入した状態でドアＤを開くと、ドアＤは係止ピン５がスライド溝３を移動する範囲内でしか開くことができず、半開きの状態でロックすることができる。
【０００３】
しかしながら、上記従来のドアガード装置では、係止ピン５がドアフレームＦからその内側に突出していることから、人が出入りする際に服や体に当たったり、玄関の見栄えを損ねるという問題があった。
【発明の開示】
【発明が解決しようとする課題】
【０００４】
本発明は、上記従来のドアガード装置が有する問題点に鑑み、係止ピンを使用するときに自動的に突出させることにより、出入りの際に邪魔にならないようにするとともに、玄関の見栄えを向上させることができるドアガード装置を提供することを目的とする。
【課題を解決するための手段】
【０００５】
上記目的を達成するため、本発明のドアガード装置は、ドアに係止アームを揺動可能に取り付けるとともに、該係止アームのスライド溝を、ドアフレームに設けた係止ピンにスライド可能に掛け止めるドアガード装置において、前記係止ピンをドアフレームの戸当たりから内側に出没可能に設けるとともに、戸当たり面から突出する作動ボタンを設け、該作動ボタンが閉止したドアに押し込まれることにより係止ピンを係止アームが掛け止められる突出状態にし、かつドアを開放することにより作動ボタンが復帰して係止ピンを突出状態から退入状態にする出没機構を設けたことを特徴とする。
【０００６】
この場合において、出没機構が、揺動により出没するよう枢支された係止ピンと、該係止ピンに係合し、上下に移動することにより係止ピンを出没させるスライド部材と、該スライド部材と係合し、作動ボタンと共に移動することによりスライド部材を上下動させるボタンスライダとを備えることができる。
【０００７】
また、作動ボタンの先端に、閉止したドアに当接するばね部材を設けることができる。
【０００８】
また、係止アームの台座に上下にあり溝を形成するとともに、該あり溝に摺動可能に挿入される台座レールを設け、該台座レールを介して台座を所定範囲で上下動可能にドアに取り付けることができる。
【０００９】
また、台座と台座レールを磁力で吸着するようにすることができる。
【００１０】
また、ドアの開放時にドアフレームの戸当たり面に作動ボタンのみが露出するようにすることができる。
【発明の効果】
【００１１】
本発明のドアガード装置によれば、ドアに係止アームを揺動可能に取り付けるとともに、該係止アームのスライド溝を、ドアフレームに設けた係止ピンにスライド可能に掛け止めるドアガード装置において、前記係止ピンをドアフレームの戸当たりから内側に出没可能に設けるとともに、戸当たり面から突出する作動ボタンを設け、該作動ボタンが閉止したドアに押し込まれることにより係止ピンを係止アームが掛け止められる突出状態にし、かつドアを開放することにより作動ボタンが復帰して係止ピンを突出状態から退入状態にする出没機構を設けることから、ドアを開けて出入りするときには係止ピンを自動的に退入させるとともに、係止アームを掛け止めるドアを閉じた状態では自動的に突出させることができ、これにより、出入りの際に邪魔にならないようにするとともに、玄関の見栄えを向上させることができる。
【００１２】
また、出没機構が、揺動により出没するよう枢支された係止ピンと、該係止ピンに係合し、上下に移動することにより係止ピンを出没させるスライド部材と、該スライド部材と係合し、作動ボタンと共に移動することによりスライド部材を上下動させるボタンスライダとを備えることにより、出没機構を戸当たりに内挿しうる細くコンパクトな大きさに構成しながら、ドアの開閉により係止ピンを自動的に出没させることができる。
【００１３】
また、作動ボタンの先端に、閉止したドアに当接するばね部材を設けることにより、ドアやドアフレームの寸法違いや取付誤差、経年変化による取付位置の変動等による誤差を吸収し、装置の動作を安定して行うことができるようにするとともに、作動ボタンに誤って大きな負荷がかかることによって装置が破損することを未然に防止することができる。
【００１４】
また、係止アームの台座に上下にあり溝を形成するとともに、該あり溝に摺動可能に挿入される台座レールを設け、該台座レールを介して台座を所定範囲で上下動可能にドアに取り付けることにより、地震によりドアが上下動した場合でも、係止アームが追随して移動することでドアガード装置に負荷をかけずに、ドアガード装置の故障を防止することができる。
【００１５】
また、台座と台座レールを磁力で吸着させることにより、台座と台座レールとを仮固定し、係止アームの上下位置の微調整を簡単に行うことができるとともに、経年変化や地震によるドアやドアフレームの変形にも自動的に係止アームの位置調整が行われることによって対応して、ドアの開閉に支障が生じることを防止することができる。
【００１６】
また、ドアの開放時にドアフレームの戸当たり面に作動ボタンのみが露出するようにすることにより、出入りの際に一層邪魔にならないようにするとともに、玄関の見栄えを向上させることができる。
【発明を実施するための最良の形態】
【００１７】
以下、本発明のドアガード装置の実施の形態を、図面に基づいて説明する。
【実施例１】
【００１８】
図１〜図６に、本発明のドアガード装置の一実施例を示す。
このドアガード装置は、例えば図１４に示すように、ドアＤの先端部内側に、台座１を介して揺動可能に取り付けられた係止アーム２と、ドアフレームＦ側に固定され、係止アーム２のスライド溝３に大径の頭部４を掛止して、スライド可能に掛け止められる係止ピン５とを備えている。
そして、このドアガード装置は、図１に示すように、前記係止ピン５をドアフレームＦの戸当たりＦ１から内側に出没可能に設けるとともに、戸当たり面Ｆ２から突出する作動ボタン８を設け、該作動ボタン８が閉止したドアＤに押し込まれることにより係止ピン５を係止アーム２が掛け止められる突出状態にし、かつドアＤを開放することにより作動ボタン８が復帰して係止ピン５を突出状態から退入状態にする出没機構を設けている。
【００１９】
係止アーム２は、図６に示すように、中央にスライド溝３を備えたＵ字状の金属杆からなり、その基部には、台座１に枢支される１対の揺動軸２１が外側に一体に突設されている。
係止アーム２の台座１には、上下にあり溝１１が形成されるとともに、該あり溝１１に摺動可能に挿入される台座レール１２が設けられており、該台座レール１２を介して台座１を所定範囲で上下動可能にドアＤに取り付けられている。
台座１の移動範囲は、台座レール１２に設けた長穴１３と、台座１に螺合し該長穴１３に嵌挿されるねじ１４とによって規制されている。
また、台座１と台座レール１２を磁石１５の磁力で吸着させることにより、台座１と台座レール１２とを仮固定し、係止アーム２の上下位置の微調整を行えるようにしている。
【００２０】
一方、出没機構は、図２〜図３に示すように、本実施例では、揺動により出没するよう枢支された係止ピン５と、該係止ピン５に係合し、上下に移動することにより係止ピン５を出没させるスライド部材６と、該スライド部材６と係合し、作動ボタン８と共に移動することによりスライド部材６を上下動させるボタンスライダ７とを備えている。
【００２１】
係止ピン５は、ドアフレームＦに取り付けられる受座９（図８参照）の支持片９１にヘッドピン５１により枢支されており、上下に揺動し起立位置で退入状態となり、この起立位置から揺動して横倒位置で突出状態となる。
係止ピン５の基部には、図７（ａ）に詳示するように、ヘッドピン５１から偏心した位置にカム突起５２が設けられており、該カム突起５２は、後述するスライド部材６のカム溝６３に嵌挿され、スライド部材６が上下動することにより、係止ピン５を退入状態と突出状態の間で揺動させる。
なお、係止ピン５は、受座９のスリット９２を介して、作動ボタン８と直交する方向に突出する。
【００２２】
スライド部材６は、受座９の１対の支持片９１の間に、スライドばね６１で上方に付勢された状態で上下にスライド可能に配設されている。
スライド部材６は板状をなし、図９に詳示するように、下部が支持片９１の間を摺動するスペーサとして箱状に形成されている。
スライド部材６の上部には、ヘッドピン５１が摺動可能に嵌挿されるガイド溝６２と、該ガイド溝６２の側方に形成され、係止ピン５のカム突起５２が嵌挿されるカム溝６３とが設けられている。
また、スライド部材６の下部には、後述するボタンスライダ７のスライダケース７１がガイドとして摺動可能に嵌挿される下部ガイド溝６４と、該下部ガイド溝６４の底部に設けられ、後述するボタンスライダ７の三角カム７３が摺接することにより、スライド部材６を上下動させる底壁６５とが設けられている。
【００２３】
ボタンスライダ７は、図１０に詳示するように、外筒状のスライダケース７１に摺動可能に収容されており、スライダケース７１を受座９の支持片９１に貫通固定することにより、ドアＤの開閉方向に移動するようになっている。
また、このボタンスライダ７は、作動ボタン８とねじ固定され一体に動作するようになっており、スライダケース７１に内挿した作動ばね７２により、ボタンスライダ７を作動ボタン８と共に、作動ボタン８の突出方向に付勢している。
また、ボタンスライダ７の下部には、三角カム７３が一体に設けられている。
三角カム７３は、作動ボタン８によりボタンスライダ７が押し込まれたときに、スライド部材６側に設けた斜面がその底壁６５を押し下げることにより、スライド部材６をスライドばね６１に抗して押し下げる。
【００２４】
作動ボタン８は、閉止したドアＤに押し込まれることによりボタンスライダ７を押し込み、ドアＤを開放することにより、作動ばね７２によりボタンスライダ７と共に元の位置に復帰する。
作動ボタン８の先端には、図１２に詳示するように、閉止したドアＤに当接するばね部材８１が作動ボタン８の先端から突出するようにして設けられており、これにより、ドアＤやドアフレームＦの寸法違いや取付誤差、経年変化による取付位置の変動等による誤差を吸収し、装置の動作を安定して行うことができるようにするとともに、作動ボタン８に誤って大きな負荷がかかることによって装置が破損することを未然に防止するようにしている。
ばね部材８１は、作動ボタン８のテーパ穴８２に根本部分だけが圧入により固定されており、この固定部以外は、ばね部材８１は上下左右に揺動できるようになっている。
なお、本実施例では、作動ボタン８とボタンスライダ７をねじ止めしているが、作動ボタン８とボタンスライダ７は最初から一体に形成することも可能である。
【００２５】
このように構成された出没機構は、図１３に示すように、裏カバー９３を装着して、ドアフレームＦの戸当たりＦ１に取り付けられる。
この場合、ドアフレームＦの戸当たりＦ１の内側の面に角穴Ｆ４を設けるとともに、戸当たりＦ１の戸当たり面Ｆ２に、作動ボタン用の丸孔Ｆ３を設ける。
そして、作動ボタン８を外した出没機構を角穴Ｆ４から挿入し、受座９をねじ９４で固定するとともに、作動ボタン８を丸孔Ｆ３から挿入して、ボタンスライダ７にねじ８３で固定する。
なお、この出没機構は、戸当たりＦ１に上下逆に取り付けるようにしても、同じように使用することができる。
【００２６】
次に、本実施例の出没機構の動作を説明する。
ドアＤが開放されているときは、図１（ｂ）、図２及び図４に示すように、作動ボタン８とボタンスライダ７が押し込まれないため、スライド部材６がスライドばね６１で上方に押し上げられた位置にあり、カム溝６３とカム突起５２の作用により、係止ピン５は上に揺動した退入状態にある。
【００２７】
一方、ドアＤが閉止すると、図１（ａ）、図３及び図５に示すように、作動ボタン８とボタンスライダ７が押し込まれ、スライド部材６がボタンスライダ７の三角カム７３により押し下げられ、カム溝６３とカム突起５２の作用により、係止ピン５が下に揺動して突出状態になる。
【００２８】
かくして、本実施例のドアガード装置は、ドアＤに係止アーム２を揺動可能に取り付けるとともに、該係止アーム２のスライド溝３を、ドアフレームＦに設けた係止ピン５にスライド可能に掛け止めるドアガード装置において、前記係止ピン５をドアフレームＦの戸当たりＦ１から内側に出没可能に設けるとともに、戸当たり面Ｆ２から突出する作動ボタン８を設け、該作動ボタン８が閉止したドアＤに押し込まれることにより係止ピン５を係止アーム２が掛け止められる突出状態にし、かつドアＤを開放することにより作動ボタン８が復帰して係止ピン５を突出状態から退入状態にする出没機構を設けることから、ドアＤを開けて出入りするときには係止ピン５を自動的に退入させるとともに、係止アーム２を掛け止めるドアＤを閉じた状態で自動的に突出させることができ、これにより、出入りの際に邪魔にならないようにするとともに、玄関の見栄えを向上させることができる。
【００２９】
この場合、出没機構が、揺動により出没するよう枢支された係止ピン５と、該係止ピン５に係合し、上下に移動することにより係止ピン５を出没させるスライド部材６と、該スライド部材６と係合し、作動ボタン８と共に移動することによりスライド部材６を上下動させるボタンスライダ７とを備えることにより、出没機構を戸当たりＦ１に内挿しうる細くコンパクトな大きさに構成しながら、ドアＤの開閉により係止ピン５を自動的に出没させることができる。
【００３０】
また、作動ボタン８の先端に、閉止したドアＤに当接するばね部材８１を設けることにより、ドアＤやドアフレームＦの寸法違いや取付誤差、経年変化による取付位置の変動等による誤差を吸収し、装置の動作を安定して行うことができるようにするとともに、作動ボタン８に誤って大きな負荷がかかることによって装置が破損することを未然に防止することができる。
【００３１】
また、係止アーム２の台座１に上下にあり溝１１を形成するとともに、該あり溝１１に摺動可能に挿入される台座レール１２を設け、該台座レール１２を介して台座１を所定範囲で上下動可能にドアＤに取り付けることにより、地震によりドアＤが上下動した場合でも、係止アーム２が追随して移動することでドアガード装置に負荷をかけずに、ドアガード装置の故障を防止することができる。
【００３２】
また、台座１と台座レール１２を磁力で吸着させることにより、台座１と台座レール１２とを仮固定し、係止アーム２の上下位置の微調整を簡単に行うことができる。
また、経年変化や地震によるドアＤやドアフレームＦの変形にも自動的に係止アーム２の位置調整が行われることによって対応して、ドアＤの開閉に支障が生じることを防止することができる。
【００３３】
また、ドアＤの開放時にドアフレームＦの戸当たり面Ｆ２に作動ボタン８のみが露出するようにすることにより、出入りの際に一層邪魔にならないようにするとともに、玄関の見栄えを向上させることができる。
【００３４】
以上、本発明のドアガード装置について、その実施例に基づいて説明したが、本発明は上記実施例に記載した構成に限定されるものではなく、その趣旨を逸脱しない範囲において適宜その構成を変更することができる。
【産業上の利用可能性】
【００３５】
本発明のドアガード装置は、係止ピンを使用するときに自動的に突出させることにより、出入りの際に邪魔にならないようにするとともに、玄関の見栄えを向上させるという特性を有していることから、使い勝手のよい高品位なドアガード装置として広く好適に用いることができる。
【図面の簡単な説明】
【００３６】
【図１】本発明のドアガード装置の一実施例を示し、（ａ）はドアを閉止したときの平面図、（ｂ）はドアを開放したときの平面図である。
【図２】同ドアガード装置の出没機構を示し、（ａ）はドアを開放したときの正面図、（ｂ）は同側面図である。
【図３】同ドアガード装置の出没機構を示し、（ａ）はドアを閉止したときの正面図、（ｂ）は同側面図である。
【図４】裏カバーを装着した出没機構を示し、（ａ）はドアを開放したときの正面図、（ｂ）は同側面図である。
【図５】裏カバーを装着した出没機構を示し、（ａ）はドアを閉止したときの正面図、（ｂ）は同側面図である。
【図６】係止アームと台座を示し、（ａ）はその分解平面図、（ｂ）は同分解側面図、（ｃ）は同組立側面図、（ｄ）は同組立平面図である。
【図７】（ａ）は係止ピンの３面図、（ｂ）はヘッドピンの２面図、（ｃ）はスライドばねの正面図、（ｄ）は作動ばねの正面図、（ｅ）はばね部材の正面図である。
【図８】受座の４面図である。
【図９】スライド部材の４面図である。
【図１０】ボタンスライダを示し、（ａ）はその４面図、（ｂ）はスライダケースに挿入した状態を示す４面図である。
【図１１】（ａ）は裏カバーの４面図、（ｂ）はスライダケースの４面図である。
【図１２】作動ボタンを示し、（ａ）はその３面図、（ｂ）はばね部材を装着する組み立て図である。
【図１３】本実施例の出没機構をドアフレームに装着する手順を示す組み立て図である。
【図１４】ドアガード装置の取付状態を示し、（ａ）は係止アームを示す正面図、（ｂ）は係止ピンを係止アームに掛止した状態を示す平面図、（ｃ）は係止ピンを係止アームに掛止した状態でドアを開いた平面図、（ｄ）はドアガード装置を解錠して係止ピンを係止アームから抜いた状態を示す平面図である。
【符号の説明】
【００３７】
Ｄ    ドア
Ｆ    ドアフレーム
Ｆ１  戸当たり
Ｆ２  戸当たり面
１    台座
１１  あり溝
１２  台座レール
１３  長穴
１４  ねじ
１５  磁石
２    係止アーム
２１  揺動軸
３    スライド溝
４    頭部
５    係止ピン
５１  ヘッドピン
５２  カム突起
６    スライド部材
６１  スライドばね
６２  ガイド溝
６３  カム溝
６４  下部ガイド溝
６５  底壁
７    ボタンスライダ
７１  スライダケース
７２  作動ばね
７３  三角カム
８    作動ボタン
８１  ばね部材
８２  テーパ穴
８３  ねじ
９    受座
９１  支持片
９２  スリット
９３  裏カバー
９４  ねじ
【図１】
2009299351.tif 000003
【図２】
2009299351.tif 000004
【図３】
2009299351.tif 000005
【図４】
2009299351.tif 000006
【図５】
2009299351.tif 000007
【図６】
2009299351.tif 000008
【図７】
2009299351.tif 000009
【図８】
2009299351.tif 000010
【図９】
2009299351.tif 000011
【図１０】
2009299351.tif 000012
【図１１】
2009299351.tif 000013
【図１２】
2009299351.tif 000014
【図１３】
2009299351.tif 000015
【図１４】
2009299351.tif 000016